【手続補正書】
【提出日】平成16年1月13日(2004.1.13)
【手続補正１】
【補正対象書類名】明細書
【補正対象項目名】特許請求の範囲
【補正方法】変更
【補正の内容】
【特許請求の範囲】
【請求項１】
出発ロッドとガラス微粒子合成用のバーナとを相対的に往復移動させ前記出発ロッド上にガラス微粒子を終了タイミングまで堆積させて透明化する光ファイバプリフォームの製造方法であって、前記終了タイミングが前記往復移動の回数と前記往復移動の速度により決定され、前記出発ロッドの外径を第１の変数とし、前記光ファイバプリフォームの外径を第２の変数とし、前記終了タイミングを表す変数を第３の変数として、前記第１〜第３の３変数の関係をあらかじめ求め、前記出発ロッドの外径が与えられたときに、光ファイバプリフォーム外径と出発ロッド外径との比であるＪ倍率により光ファイバプリフォームの外径を決定し、さらに前記３変数の関係に基づき終了タイミングを決定して前記往復移動の回数と前記往復移動の速度とを決定し、決定された回数と速度で前記出発ロッドと前記バーナとを相対的に往復移動させることを特徴とする光ファイバプリフォームの製造方法。
【請求項２】
出発ロッドとガラス微粒子合成用のバーナとを相対的に往復移動させ前記出発ロッド上にガラス微粒子を終了タイミングまで堆積させて透明化する光ファイバプリフォームの製造方法であって、前記終了タイミングが前記往復移動の回数と前記往復移動の速度により決定され、前記出発ロッドの外径を第１の変数とし、前記光ファイバプリフォームの外径を第２の変数とし、前記終了タイミングを表す変数を第３の変数として、前記第１〜第３の３変数の関係をあらかじめ求め、前記光ファイバプリフォームの外径が与えられたときに、光ファイバプリフォーム外径と出発ロッド外径との比であるＪ倍率により出発ロッドの外径を決定し、さらに前記３変数の関係に基づき終了タイミングを決定して前記往復移動の回数と前記往復移動の速度とを決定し、決定された回数と速度で前記出発ロッドと前記バーナとを相対的に往復移動させることを特徴とする光ファイバプリフォームの製造方法。
【請求項３】
前記出発ロッドと前記バーナとの相対的往復移動の折り返し位置を一定間隔ずつ一定方向に移動させ、折り返し位置が所定の間隔分移動したところでずらす方向を逆方向にし、一番初めの位置までずらすことを特徴とする請求項１又は２に記載の光ファイバプリフォームの製造方法。
【請求項４】
ガラス微粒子付け開始から終了まで前記出発ロッドと前記バーナとの相対的往復移動の速度を一定とすることを特徴とする請求項１ないし３のいずれかに記載の光ファイバプリフォームの製造方法。
【請求項５】
ガラス微粒子付けの一定のトラバースターンまでは前記出発ロッドと前記バーナとの相対的往復移動の速度を一定の所定値とし、そのターン以後の前記速度を目標とする前記Ｊ倍率を実現できる速度とすることを特徴とする請求項１ないし３のいずれかに記載の光ファイバプリフォームの製造方法。
【請求項６】
前記バーナに供給する可燃性ガス流量条件を前記出発ロッドと前記バーナとの往復移動の速度を変えた際に起きる時系列のガラス微粒子堆積体の表面温度の変化を同一にするように調整することを特徴とする請求項５に記載の光ファイバプリフォームの製造方法。
【手続補正２】
【補正対象書類名】明細書
【補正対象項目名】０００８
【補正方法】変更
【補正の内容】
【０００８】
【課題を解決するための手段】
この課題を解決するために、本発明者は種々検討を行い、下記の各発明に到達した。    本発明は、出発ロッドとガラス微粒子合成用のバーナとを相対的に往復移動させ前記出発ロッド上にガラス微粒子を終了タイミングまで堆積させて透明化する光ファイバプリフォームの製造方法であって、前記終了タイミングが前記往復移動の回数と前記往復移動の速度により決定され、前記出発ロッドの外径を第１の変数とし、前記光ファイバプリフォームの外径（焼結体外径）を第２の変数とし、前記終了タイミングを表す変数を第３の変数として、前記第１〜第３の３変数の関係をあらかじめ求め、前記出発ロッドの外径が与えられたときに、光ファイバプリフォーム外径と出発ロッド外径との比であるＪ倍率により光ファイバプリフォームの外径を決定し、さらに前記３変数の関係に基づき終了タイミングを決定して前記往復移動の回数と前記往復移動の速度とを決定し、決定された回数と速度で前記出発ロッドと前記バーナとを相対的に往復移動させることを特徴とする光ファイバプリフォームの製造方法を提供する。


【手続補正３】
【補正対象書類名】明細書
【補正対象項目名】０００９
【補正方法】変更
【補正の内容】
【０００９】
また本発明は、出発ロッドとガラス微粒子合成用のバーナとを相対的に往復移動させ前記出発ロッド上にガラス微粒子を終了タイミングまで堆積させて透明化する光ファイバプリフォームの製造方法であって、前記終了タイミングが前記往復移動の回数と前記往復移動の速度により決定され、前記出発ロッドの外径を第１の変数とし、前記光ファイバプリフォームの外径を第２の変数とし、前記終了タイミングを表す変数を第３の変数として、前記第１〜第３の３変数の関係をあらかじめ求め、前記光ファイバプリフォームの外径が与えられたときに、光ファイバプリフォーム外径と出発ロッド外径との比であるＪ倍率により出発ロッドの外径を決定し、さらに前記３変数の関係に基づき終了タイミングを決定して前記往復移動の回数と前記往復移動の速度とを決定し、決定された回数と速度で前記出発ロッドと前記バーナとを相対的に往復移動させることを特徴とする光ファイバプリフォームの製造方法を提供する。
なお、所望の光ファイバプリフォーム外径とＪ倍率とで決まる外径に、出発ロッドを延伸してもよい。
【手続補正４】
【補正対象書類名】明細書
【補正対象項目名】００１０
【補正方法】変更
【補正の内容】
【００１０】
これらの発明の態様としては、往復運動の折り返し点を初期位置から一定距離（間隔）ずつ一定方向に移動させ、所定の距離（間隔）移動したところで、前記初期位置まで一定距離（間隔）ずつ逆方向に移動させてもよい。トラバース速度は、ガラス微粒子堆積開始から終了まで一定としてもよく、途中から目標とするＪ倍率を実現できる速度としてもよい。トラバース速度を変えるとその前後でガラス微粒子堆積体の時系列の表面温度の変化（表面温度の経時的な変化率）が変わってしまう。そこで、バーナに供給する可燃性ガスの流量を、トラバースの速度を変えた際に起きる時系列のガラス微粒子堆積体の表面温度の変化を同一にする（トラバース速度の変化の前後でのガラス微粒子堆積体の表面温度の経時的な変化率が一致する）ように調整してもよい。
【手続補正５】
【補正対象書類名】明細書
【補正対象項目名】００１１
【補正方法】変更
【補正の内容】
【００１１】
前記発明の他の態様としては、コアを含有する出発ロッドとバーナとを相対的に移動させ前記出発ロッド上にガラス微粒子を堆積させていく方法において、目標Ｊ倍率を達成できるトラバースの速度を決定し、前記速度で所定の回数出発ロッドとバーナの相対運動を行いガラス微粒子を堆積させることを特徴とする方法がある。この方法で出発ロッドとバーナの相対運動の所定回数は、バーナの種類、バーナ間隔、原料の投入量、Ｊ付け工程以外での制限によりガラス微粒子堆積体外径が変化するので、実際のガラス微粒子堆積工程におけるこれらの条件を加味して適宜に決定される。
【手続補正６】
【補正対象書類名】明細書
【補正対象項目名】００１２
【補正方法】変更
【補正の内容】
【００１２】
前記発明の更なる他の態様としては、コアを含有する出発ロッドとバーナとを相対的に移動させ前記出発ロッド上にガラス微粒子を堆積させていく方法において、出発ロッド径が変更されても透明ガラス化後の母材径を同一若しくはほぼ同一とすることができるトラバース速度を決定し、前記速度で所定の回数出発ロッドとバーナの相対運動を行いガラス微粒子を堆積させることからなり、その際、出発ロッド径を変更することで直径比を調節することを特徴とする方法がある。この方法は、出発ロッド径に合わせてトラバース速度を制御してガラス微粒子堆積を行い、得られたガラス微粒子堆積体の焼結透明化後のガラス径（焼結体外径）を一定とすることが可能なガラス微粒子堆積工程を含む。この場合、トラバース速度がガラス微粒子堆積停止時間を操るのに適用される。